(57)【要約】【課題】どのような温度環境下で撮影を行なったとしても適正な輝度調整、また適正な色調調整が確実に行なえる撮影装置を提供する。【解決手段】受光センサ不存在の領域から黒レベルを読み出す。ＣＣＤ近傍の温度を温度センサにより検出する。予めＥＥＰＲＯＭ内に記憶しておいた補正テーブルを参照して補正信号を生成して画像信号処理回路およびＡＥ検出回路にセットする。画像信号処理回路とＡＥ検出回路との双方ともにＣＣＤで生成された画像信号の中のＹ信号の信号量を的確に算出させるようにする。【選択図】  図４
2006352434.tif 000002
【特許請求の範囲】
【請求項１】
多数の受光センサが２次元的に配列された撮像素子上に被写体像を結像して画像信号を生成する撮影装置において、
前記撮像素子が、受光センサが不存在な領域であって該領域からの読出しが可能な黒レベル検出領域を有するものであって、
前記黒レベル検出領域を読み出して黒レベルを表わす補正信号を生成する黒レベル検出部と、
前記撮像素子上の受光センサから読み出した信号を前記黒レベル検出部で生成された補正信号で補正する画像信号処理部と、
温度を検出する温度検出部とを備え、
前記黒レベル検出部は、前記温度検出部で検出された温度に応じた補正信号を生成するものであることを特徴とする撮影装置。
【請求項２】
撮影感度を設定する感度設定部を備え、
前記黒レベル検出部は、前記温度検出部で検出された温度に応じるとともに前記感度設定部で設定された感度にも応じた補正信号を生成するものであることを特徴とする請求項１記載の撮影装置。
【請求項３】
多数の受光センサが２次元的に配列された撮像素子上に被写体像を結像して画像信号を生成する撮影装置において、
前記撮像素子が、受光センサが不存在な領域であって該領域からの読出しが可能な黒レベル検出領域を有するものであって、
前記黒レベル検出領域を読み出して黒レベルを表わす補正信号を生成する黒レベル検出部と、
前記撮像素子上の受光センサから読み出した信号を前記黒レベル検出部で生成された補正信号で補正する画像信号補正部と、
電源投入後の経過時間を計時する時間計測部とを備え、
前記黒レベル検出部は、前記時間計測部で計測された時間に応じた補正信号を生成するものであることを特徴とする撮影装置。
【請求項４】
撮影感度を設定する感度設定部を備え、
前記黒レベル検出部は、前記時間計測部で計測された時間に応じるとともに前記感度設定部で設定された感度にも応じた補正信号を生成するものであることを特徴とする請求項３記載の撮影装置。
【発明の詳細な説明】
【技術分野】
【０００１】
本発明は、多数の受光センサが２次元的に配列された撮像素子上に被写体像を結像して画像信号を生成する撮影装置に関する。
【背景技術】
【０００２】
デジタルカメラでは、撮像素子から出力されてくる画像信号の処理を行なうにあたって、撮像素子を構成する多数の受光素子のうちのいくつかを含む一部の領域を遮光してその遮光領域からの出力信号を黒レベルとして後段の画像信号処理部で画像信号の信号処理を行なうようにしているものが多い。このように黒レベルがペデスタルレベルとして正しく定められると、撮像素子から出力されてくる画像信号がそのペデスタルレベルにクランプされて輝度レベルが正しく検出されるようになる。周知の如くデジタルカメラ等には、ホワイトバランス回路が設けられており、そのホワイトバランス回路によって白レベルの検出も行われているので黒レベルからその白レベルまでの動作領域つまりダイナミックレンジが、ペデスタルレベルが正しく定められたことにより正しく確保されて信号処理部での中間調の色調調整等も精度良く行えるようになる。
【０００３】
ところで、半導体製造技術が向上して多数の受光センサが２次元的に配列された撮像素子の歩留まり率も向上してきてはいるものの、いまだに撮像素子の画素を形成する多数の受光センサのいくつかに欠陥が発生して一撮像素子を構成するいくつかの画素に欠陥画素が形成されてしまうことがある。このような欠陥画素が形成されると、遮光されているにも拘わらず黒レベルを示す信号が出力されずに白レベルを示す信号が出力されてしまうことさえある。このような欠陥画素が上記遮光領域に形成されてしまうと、ペデスタルレベルが正しく定められなくなり、黒レベルから白レベルまでのダイナミックレンジが充分に確保されなくなって中間調の色調調整もうまく行えなくなる。
【０００４】
そこで、欠陥画素の影響を抑制するために遮光領域には画素を形成しないようにして黒レベルの安定化を図った撮像素子もある。このように上記遮光領域に受光センサを形成しないようにすると黒レベルは安定する。
【０００５】
しかしながら、従来の撮像素子であれば、受光センサに遮光膜を施すことにより遮光領域を形成するようなことを行っていたので、黒レベルにより定められるペデスタルレベルにも受光センサの温度特性を反映させることができたが、上記のように受光センサを設けない撮像素子を用いると受光センサの温度特性がペデスタルレベルに反映されない事態が発生してしまう。つまり受光センサが不存在の遮光領域を有する撮像素子を備えた撮影装置により撮影を行なおうとしているときには、撮像素子の温度が変化したことにより変化するはずの黒レベルが変化しなくなるため、温度に応じた、適正な輝度調整、また適正な色調調整が行えなくなる可能性が出てくる。
【０００６】
ここで温度等の変化に応じて黒レベルを補正するものとして１フレーム分の画像信号を用いて黒レベルの基準信号を作成しようとする技術がある（例えば特許文献１参照）が、この特許文献１の技術は絞りの開口制御ループのレスポンスを良くして精度の良い絞り制御を行なおうという技術であって、上記のような画像信号処理部での輝度調整、および色調調整用のためにペデスタルレベルになる黒レベルを得ようというものではない。
【特許文献１】特公平７−２２３５５号公報
【発明の開示】
【発明が解決しようとする課題】
【０００７】
本発明は、上記事情に鑑み、どのような温度環境下で撮影を行なったとしても適正な輝度調整、また適正な色調調整が精度良く行なえる撮影装置を提供することを目的とする。
【課題を解決するための手段】
【０００８】
上記目的を達成する本発明の第１の撮影装置は、多数の受光センサが２次元的に配列された撮像素子上に被写体像を結像して画像信号を生成する撮影装置において、
上記撮像素子が、受光センサが不存在な領域であってその領域からの読出しが可能な黒レベル検出領域を有するものであって、
上記黒レベル検出領域を読み出して黒レベルを表わす補正信号を生成する黒レベル検出部と、
上記撮像素子上の受光センサから読み出した信号を上記黒レベル検出部で生成された補正信号で補正する画像信号処理部と、
温度を検出する温度検出部を備え、
上記黒レベル検出部は、上記温度検出部で検出された温度に応じた補正信号を生成するものであることを特徴とする。
【０００９】
上記本発明の第１の撮影装置によれば、上記黒レベル検出部によって上記受光センサ不存在の上記黒レベル検出領域を読み出して黒レベルを表わす補正信号が生成されるときに上記温度検出部で検出された温度に応じた補正信号が生成される。
【００１０】
そうすると、いままで受光センサ不存在の上記黒レベル検出領域を読み出して黒レベルを表わす補正信号を固定的に生成していたために発生していた不具合が解消され温度に応じた黒レベルの補正が的確に行なわれるようになる。このようにして黒レベルが温度に応じた適正値に的確に補正されるようになると、信号処理部で信号処理を行なうにあたって温度を考慮した輝度調整、また色調調整が行えるようになる。
【００１１】
すなわち、どのような温度環境下で撮影を行なったとしても適正な輝度調整、また適正な色調調整が精度良く行なえる撮影装置が実現される。
【００１２】
ここで、撮影感度を設定する感度設定部を備え、
上記黒レベル検出部は、上温度検出部で検出された温度に応じるとともに上記感度設定部で設定された感度にも応じた補正信号を生成するものであることが好ましい。
【００１３】
例えば上記黒レベル検出部の構成要素としてルックアップテーブルを用意してそのルックアップテーブルを温度に応じるともに感度にも応じて参照することにより補正信号を生成するようにしておくと、温度のみならず感度に応じた補正も簡単に行なえるようになる。
【００１４】
上記目的を達成する本発明の第２の撮影装置は、多数の受光センサが２次元的に配列された撮像素子上に被写体像を結像して画像信号を生成する撮影装置において、
上記撮像素子が、受光センサが不存在な領域であってその領域からの読出しが可能な黒レベル検出領域を有するものであって、
上記黒レベル検出領域を読み出して黒レベルを表わす補正信号を生成する黒レベル検出部と、
上記撮像素子上の受光センサから読み出した信号を上記黒レベル検出部で生成された黒レベル信号で補正する画像信号補正部と、
電源投入後の経過時間を計測する時間計測部とを備え、
上記黒レベル検出部は、上記時間計測部で計測された時間に応じた補正信号を生成するものであることを特徴とする。
【００１５】
上記本発明の第１の撮影装置のように上記温度検出部を用いるとコストアップに繋がるので、上記第２の撮影装置のように上記温度検出部に代えて上記時間計測部を用いても良い。このようにしても上記第１の撮影装置と同様の効果が得られる。
【００１６】
上記第１の撮影装置と同様、撮影感度を設定する感度設定部を備え、
上記黒レベル検出部は、上記時間計時部で計時された時間に応じるとともに上記感度設定部で設定された感度にも応じた補正信号を生成するものであるとなお良い。
【発明の効果】
【００１７】
以上、説明したように、どのような環境化で撮影を行ったとしても適正な輝度調整、ひいては適正な色調調整が行なえる撮影装置が実現される。
【発明を実施するための最良の形態】
【００１８】
以下、本発明の実施の形態について図を参照して構成を説明する。
【００１９】
図１は、本発明の撮影装置の一実施形態であるデジタルカメラ１０を斜め上から見た外観斜視図である。図１（ａ）には、デジタルカメラ１０の正面を斜め上から見た図が示されており、図１（ｂ）には、デジタルカメラ１０の背面を斜め上から見た図が示されている。
【００２０】
図１（ａ）に示すデジタルカメラ１０の前面中央部には、光学ズームレンズである撮影レンズ１０＿１ａを内部に備えたズーム鏡胴１０＿１が備えられている。そのズーム鏡胴１０＿１の上方には、被写界輝度が暗い場合にフラッシュ光を被写体に向けて照射するためのフラッシュ発光窓１０＿２が設けられている。またそのフラッシュ発光窓１０＿２の横には背面側にある光学式ファインダ接眼窓（後述する）と対となる光学式ファインダ対物窓１０＿３が設けられている。また、デジタルカメラ１０上面には、レリーズボタン１０＿４が配備されている。
【００２１】
一方、図１（ｂ）に示すデジタルカメラ１０の背面上部には、光学式ファインダ接眼窓１０＿５と、撮影準備完了等に点灯したり撮影中に点滅したりするファインダランプ１０＿６と、撮影モードと再生モードを切り換えるモードスイッチ１０＿７と、押下することにより広角側（ワイド側）にズームアップしたり押下することにより望遠側（テレ側）にズームアップするズームボタン１０＿８などが配備されている。
【００２２】
そのズームボタン１０＿８の下側には、メニュー／ＯＫボタン１０＿９と、ＤＩＳＰボタン１０＿１０と、ＢＡＣＫボタン１０＿１１とが備えられている。このメニュー／ＯＫボタン１０＿９は、撮影時や再生時における各種のメニューを表示したり、選択されたメニューを決定するためのボタンである。また上記ＤＩＳＰボタン１０＿１０は、ボタン横のＬＣＤモニタ１０＿３０１に表示された画面の状態を切り換えるためのボタンであり、例えば撮影時にＬＣＤモニタ１０＿３０１の表示をオン，オフしたり、再生時に文字表示をオン，オフしたりする。またＢＡＣＫボタン１０＿１１は、ＭＥＮＵ／ＯＫボタン１０＿９等による操作状態を１つ前に戻したり取り消したりするためのボタンとなる。またその下のＰＯＷＥＲボタン１０＿１２は電源投入用のボタンである。
【００２３】
図２は、図１に示すデジタルカメラ１０の回路構成を示すブロック図である。
【００２４】
図２には撮像素子１０＿４１以降の回路を働かせるために必要な撮影レンズも図示されており、その撮影レンズがどのようなものであるかを示すため、その撮影レンズの主要な構成要素であるズームレンズ１０＿１ａ１とフォーカスレンズ１０＿１ａ２とが図示されている。これらのレンズを含む撮影レンズ１０＿１ａにより後段のＣＣＤ１０＿４１に被写体光を結像させてそのＣＣＤ１０＿４１に被写体光を表わす画像信号の生成を行なわせている。
【００２５】
このデジタルカメラ１０は、ＣＰＵ１０＿４７によって統括的に制御されており、この例のＣＰＵ１０＿４７はプログラムメモリ１０＿４７０を内蔵するものである。
以降、ＣＣＤ１０＿４１にどのように画像信号を生成させ、またどのように生成した画像信号を後段の回路へと伝達していくかを説明していく。
【００２６】
まず、電源スイッチ１０＿１２が投入されモードスイッチ１０＿７が撮影モード側にあったときにＬＣＤモニタ１０＿３０１上に表示されるスルー画を表わす画像信号の流れを説明する。
【００２７】
ＣＣＤ１０＿４１にスルー画用の画像信号の生成を行なわせるにあたっては、後述するＣＰＵ１０＿４７の制御の基、図示しないタイミングジェネレータに露光開始信号および露光終了信号を所定の周期で繰り返しＣＣＤ１０＿４１に供給させることによりＣＣＤ１０＿４１にスルー画を表わす画像信号の生成を所定の周期ごとに行なわせている。このタイミングジェネレータ（図示せず）からの露光終了信号に応じてＣＣＤ１０＿４１での露光を終了させた後、ほぼ同時に露光を終了させた、スルー画を表わす画像信号（以降ＲＧＢ信号）をＣＣＤ１０＿４１から出力させている。このＣＣＤ１０＿４１の受光面には、被写体光を受光する、２次元的に配列された受光センサが存在するほか、黒レベルを検出するために設けられた受光センサ不存在の黒レベル検出領域もある。この実施形態においては、ＣＰＵ１０＿４７が不図示のタイミングジェネレータおよび画像入力コントローラ１０＿４３に指示して上記黒レベル検出領域つまり画素無しの領域から黒レベルを表わす信号を読み出すことにより黒レベルの検出さらには補正を行なうようにしている。詳細については後述する。
【００２８】
このようにしてＡ／Ｄ変換回路１０＿４２にスルー画用のＲＧＢ信号が出力されてきたら、Ａ／Ｄ変換回路１０＿４２によりアナログのＲＧＢ信号がデジタルのＲＧＢ信号に変換される。そうしたらデジタルのＲＧＢ信号が後段の画像入力コントローラ１０＿４３によりバスライン１０＿１００に導かれる。
【００２９】
この画像入力コントローラ１０＿４３によりバスライン１０＿１００に導かれた、スルー画用のデジタルのＲＧＢ信号は画像信号処理回路１０＿４４に供給され、この画像信号処理回路１０＿４４でデジタルのＲＧＢ信号からデジタルのＹＣ信号に変換される。その画像信号処理回路１０＿４４で変換されたＹＣ信号がＶｉｄｅｏＥｎｃｏｄｅｒ１０＿３００に供給され画像表示装置であるＬＣＤのモニタ１０＿３０１上にＹＣ信号に基づく画像が表示される。このＹＣ信号は、所定の周期ごとにＣＣＤ１０＿４１で生成されるものであるから、ＬＣＤモニタ１０＿３０１上には所定の周期ごとにＹＣ信号に基づく画像が切り替えられて表示されるようになる。このようにしておくとＬＣＤモニタ１０＿３０１上に撮影レンズ１０＿１ａが向けられた方向の被写体がそのままスルー画として表示される。
【００３０】
つまり、光学ファインダを覗かずにＬＣＤモニタ１０＿３０１をファインダ代わりに視認する様にしてもシャッタチャンスにレリーズボタン１０＿４を押下することにより撮影が行なわれるようになる。
【００３１】
また、このようにスルー画を表示するにあたっては、輝度調整やピント調整が常時必要になるため、本実施形態のデジタルカメラ１においては画像信号処理回路１０＿４４により得られたＹＣ信号のうちのＹ信号がＡＥ検出回路１０＿５０やＡＦ検出回路（不図示）にも供給されている。これらの検出回路で撮影レンズが向けられた方向の被写体を表わす画像データ（スルー画データ）に基づいて輝度が検出されたり、合焦位置が検出されたりしているので、ＣＰＵ１０＿４７はＡＥ検出回路１０＿５０からの検出結果を受けてドライバ（不図示）に指示して絞りの開口径を調節して露出制御を行なったり、ＡＦ検出回路からの検出結果を受けてドライバ１０＿６０に指示してフォーカスレンズ１０＿１ａ２を駆動してピント調整を行なったりしている。
【００３２】
また、本実施形態においては、上記課題を解決するため、ＣＰＵ１０＿４７が画像入力コントローラ１０＿４３に指示してＣＣＤの受光センサ不存在の黒レベル検出領域から読み出した黒レベルを表わす信号と、温度センサ１０＿４１０で検出された温度に応じてＥＥＰＲＯ１０＿５１内の補正テーブルから読み出した信号との双方を用いて黒レベルを表わす補正信号を生成するようにしている。このようにしておくと、温度に応じて黒レベルを表わす基準信号がＣＰＵ１０＿４７により生成されて、ＡＥ検出回路１０＿５０と画像信号処理回路１０＿４４との双方にその基準信号がペデスタルレベルとなるようにセットされて温度に応じた信号処理および露出制御が的確に行われるようになる。
【００３３】
こうしてＡＥ検出回路１０＿５０の検出結果に基づいて露出調整（絞りの開口径が調節される等）が的確に行われさらに画像信号処理回路１０＿４４で色調調整が的確に行われるようになると、鮮明なスルー画信号に基づくスルー画がＬＣＤモニタ１５０上に表示されるようになる。
【００３４】
ここで、そのＬＣＤモニタ上のスルー画を見てシャッタチャンスにレリーズボタン１０＿４が押されると撮影処理が開始される。本実施形態のレリーズボタン１０＿４は、半押しと全押しの２つの操作態様を有しており、レリーズボタン１０＿４が半押し状態になると一方のスイッチ１０＿４Ａが接続されてＣＰＵ１０＿４７によって半押し状態が検知され、全押し操作されると他方のスイッチ１０＿４Ｂも接続されて全押しされたことがＣＰＵ１０＿４７によって検知される。
【００３５】
ＣＰＵ１０＿４７は、半押しを検知したときにＡＥ検出回路１０＿５０およびＡＦ検出回路１０＿５１それぞれに所定の処理を行なわせて、全押しを検知したときにタイミングジェネレータ（図示せず）にシャッタスピードに応じた露光開始信号および露光終了信号をＣＣＤ１０＿４１に向けて出力させる。
【００３６】
上記ＡＥ検出回路１０＿５０には露出設定に必要な輝度の検出を行なわせていて、このＡＥ検出回路１０＿５０での検出結果に応じてＣＰＵ１＿４７は図示しない絞りの開口径を調節したり全押し時に図示しないフラッシュ発光装置にフラッシュ光の発光を行なわせたりしている。また前述したスルー画信号のときの処理と同様、ＣＰＵ１０＿４７は、撮影に先立って受光センサ不存在の黒レベル検出領域から読み出した黒レベルを表わす信号の値を読み取り、さらに温度センサ１０＿４１０で検出された温度に応じてＥＥＲＰＯＭ１０＿５１内の温度補正テーブルを参照して補正量を示す値を得て上記黒レベルの値からその補正量を示す値を減算した値をペデスタルレベルとして画像信号処理回路１０＿４４およびＡＥ処理回路１０＿５０にセットしている。このようにしておくと、適正なペデスタルレベルがＡＥ検出回路１０＿５０および画像信号処理回路１０＿４４にセットされて、ＡＥ検出回路１０＿５０により検出された被写界輝度分布に応じて絞りおよびシャッタスピード等の露出制御が正確に行なわれ、画像信号処理回路１０＿４４においては適正な色調調整が行われる。
【００３７】
また不図示のＡＦ検出回路１０＿５０には、ＣＰＵ１０＿４７の制御の基、モータドライバ１０＿６０に指示してフォーカスレンズ１０＿１ａ２を最至近点から最遠点まで移動させているときの、途中の複数の位置それぞれで被写体コントラストの検出を行なわせて各位置で検出された被写体コントラストのピークを合焦点とするような処理を行なわせている。
【００３８】
このようにして全押し時にＣＣＤ１０＿４１に結像させていた画像を表わす画像信号をＣＣＤ１０＿４１に出力させた後、Ａ／Ｄ変換回路１０＿４２によりデジタル信号に変換されたＲＧＢ信号が画像入力コントローラ１０＿４３によってバスライン１０＿１００に導かれる。
【００３９】
このバスライン１０＿１００に導かれたＲＧＢ信号は一旦メモリ（ＳＤＲＡＭ）１０＿５２にすべて記憶され、その後、メモリ１０＿５２から読み出されて画像信号処理回路１０＿４４に供給される。この画像信号処理回路１０＿４４によってＲＧＢ信号がＹＣ信号に変換され、色調調整が行われた後、その調整されたＹＣ信号が今度は圧縮処理回路１０＿４５に供給され、圧縮処理回路１０＿４５でＪＰＥＧ圧縮される。さらにそのＪＰＥＧ圧縮されたＹＣ信号がメディアＣｏｎｔｒｏｌｌｅｒ１０＿５３に供給され、ＹＣ信号に圧縮情報などのヘッダ情報が付加された画像ファイル（Ｅｘｉｆファイル）がメディアＣｏｎｔｒｏｌｌｅｒ１０＿５３によって記録メディア１０＿５４に記録される。
【００４０】
図３は、ＣＣＤ１０＿４１の、受光センサ不存在の黒レベル検出領域と受光センサ存在の画素有効領域との間の黒レベルの違いを説明する図である。
【００４１】
図３から有効画素領域を含む受光センサ存在（画素あり）の画素有効領域においては、受光センサの温度特性が反映されて温度上昇とともに黒レベルが上昇することが分かる。このことは温度に応じて黒レベルがオフセットするということを考慮して信号処理を行わないと、折角黒レベルの信号精度（ほぼ黒基準レベルをノイズレスにした）を上げたにも拘わらず、温度が低いときと温度が高いときとで信号処理時の信号量が変化してしまうということを示唆している。言い換えれば図３に示す受光センサ不存在（画素なし）の黒レベル検出領域の黒レベルを信号処理にそのまま使用してしまうと、受光センサの温度特性が考慮されずに適正な信号処理が行われなくなるということである。
【００４２】
そこで、本出願人は、ＣＣＤ１０＿４１自体の温度を温度センサ１０＿４１０により検出して上記信号精度を高めた黒レベルを温度に応じてオフセット（レベルシフト）させるようにして課題に掲げた不具合を解決しようとしている。ここでは、予めＣＣＤ１０＿４１の温度に応じた黒レベルの補正値を実験的に取得してその補正値をＥＥＰＲＯＭ１０＿５１内に記憶しておいて、撮影処理時に温度センサ１０＿４１０により検出された温度に応じた補正値をそのＥＥＰＲＯＭ１０＿５１に記憶されているテーブルから読み出してその読み出した値分、受光センサ不存在の領域から読み出した黒レベルをオフセットさせるようにして補正信号を生成するようにしている。
【００４３】
下表１はＥＥＲＰＯＭ１０＿５１内の補正テーブルの一例を示す表である。
【００４４】
【表１】
2006352434.tif 000003
【００４５】
表１には、Ｙ信号から減算を行うときに用いられる１２ビットの補正値が示されている。例えば−３であれば、ＭＳＢをサイン（ｓｇｎ）ビットとして１０００００００００１１で示される値がＡＥ検出回路１０＿５０や画像信号処理回路１０＿４４にセットされる。そうすると、ＣＣＤが有する各受光センサで検出した受光レベルを表わす１２ビットの信号からその値が減算されて温度に応じてオフセットされた黒レベルが得られることになる。このオフセットレベルが、画像信号処理回路１０＿４４やＡＥ処理回路１０＿５０にセットされて実際の信号との間で減算が行われると、各画素の信号量（輝度Ｙ信号）が正しく算出されるようになる。なお、このデジタルカメラは背面側にあるメニュー／ＯＫボタン１０＿９の操作により感度設定が行えるようになっているので、感度に応じた補正値もあわせて示されている。
【００４６】
図４は、ＣＰＵ１０＿４７が行う処理の手順を示すフローチャートである。
【００４７】
ステップＳ４０１で受光センサ不存在の領域から読み出してその不存在の領域における黒レベルを算出する。次のステップＳ４０２で温度センサ１０＿４１０によりＣＣＤ近傍の温度を検出してステップＳ４０３でステップで算出した黒レベル値を、表１に示すテーブルを用いて受光センサの温度特性（および感度）を考慮した補正信号に変換する。その変換した補正信号をＡＥ処理回路１０＿５０および画像信号処理回路１０＿４４にセットした後、ＡＥ検出回路１０＿５０および画像信号処理回路１０＿４４に実際の信号量を算出させてこのフローの処理を終了する。
【００４８】
以上説明したように、どのような温度環境下で撮影を行なったとしても適正な輝度調整、また適正な色調調整が確実に行なえる撮影装置が実現される。
【００４９】
上記第１の実施形態の構成でも良いが、その第１の実施形態で用いた温度センサ１０＿４１０は高価でありコストアップに繋がる。
【００５０】
前述したようにＣＣＤ１０＿４１は温度特性を持つ半導体素子であって、製作したＣＣＤごとに温度特性が異なるため、どうしてもＣＣＤを温度槽に入れるなどして実験により温度に応じた電気特性を個々に取得して温度補正テーブルを個々に作成しなければならない。どうせ実験により温度データを取得するのであれば、温度を時間の経過に対応づけておくことにより温度センサを取り除いてＣＰＵ１０＿４７などが内蔵しているタイマ（外付けのタイマでも良い）などにより経過時間を計測してその計測時間に応じた補正値を読み出すようにした方が良い。そうするとタイマを外付けにしたとしても温度センサを用いるよりは遥かに低コストになる。
【００５１】
そこで、第２の実施形態では、ＣＣＤの作動時間、つまり電源投入後の経過時間に応じて温度がどの程度上昇するかを予め実験データとして取得しておいて、その経過時間と補正値とを関連付けた補正テーブルをＥＥＰＲＯＭ１０＿５１内に記憶するように変更している。第２の実施形態においてはこの補正テーブルを参照するために温度センサに代えてタイマ回路が付加されている。
【００５２】
図５は、そのタイマ回路を備えた例の内部構成を示す図である。図６は、ＣＰＵ１０＿４７が行う撮影処理の手順を示すフローチャートである。
【００５３】
図５は、温度センサ１０＿４１０が取り除かれてタイマ回路１０＿４７１が付加された以外、図２と全く同様の構成である。また、ＥＥＰＲＯＭ１０＿５０内の補正テーブルの内容が下表２に変更されている。
【００５４】
【表２】
2006352434.tif 000004
【００５５】
表２に示すように、温度の代わりに経過時間を用いた以外図３と全く同様の構成である。
【００５６】
また図６においては、上記表２を参照することができるようにステップＳ６０２の処理をＣＣＤ１０＿４１に電圧を印加した後の経過時間（つまり電源投入後の経過時間）に変更した以外、図３の処理と同様の処理を行っている。
【００５７】
このようにしても、温度センサを設けたのとほぼ同等の効果を得ることができ、さらにコストダウンを図ることが出来るという大きなメリットが得られる。
【００５８】
以上説明したように、どのような温度環境下で撮影を行なったとしても適正な輝度調整、また適正な色調調整が確実に行なえる撮影装置が実現される。
【図面の簡単な説明】
【００５９】
【図１】本発明の撮影装置の一実施形態であるデジタルカメラ１０を斜め上から見た外観斜視図である。
【図２】図１に示すデジタルカメラ１０の回路構成を示すブロック図である。
【図３】ＣＣＤの、受光センサ不存在の領域と受光センサ存在の領域との間の黒レベルの違いを説明する図である。
【図４】ＣＰＵ１０＿４７が行う処理の手順を示すフローチャートである。
【図５】第２の実施形態を説明する図である。
【図６】図５に示すＣＰＵ１０＿４７が行う処理の手順を示すフローチャートである。
【符号の説明】
【００６０】
１０  デジタルカメラ
１０＿４  レリーズボタン
１０＿４Ａ    第１の接点
１０＿４Ｂ    第２の接点
１０＿４１    ＣＣＤ
１０＿４２    Ａ／Ｄ変換回路
１０＿４３    画像入力コントローラ
１０＿４４    画像信号処理回路
１０＿４５    圧縮処理回路
１０＿４７    ＣＰＵ
１０＿４７０    プログラムメモリ
１０＿５０    ＡＥ検出回路
１０＿５１    メモリ（補正テーブル）
１０＿５３    記録部
１０＿５４    記録メディア
【図１】
2006352434.tif 000005
【図２】
2006352434.tif 000006
【図３】
2006352434.tif 000007
【図４】
2006352434.tif 000008
【図５】
2006352434.tif 000009
【図６】
2006352434.tif 000010